【手続補正書】
【提出日】平成16年2月4日(2004.2.4)
【手続補正１】
【補正対象書類名】特許請求の範囲
【補正対象項目名】全文
【補正方法】変更
【補正の内容】
【特許請求の範囲】
【請求項１】
オリフィスに関して配置された偏向面を含んで成り、該偏向面が該オリフィスに関して固定され、それにより、該オリフィスから流れる粒子が該偏向面に衝突し、該偏向面によって分散されることのできる、該オリフィスから流れる粒子を分散させるための装置。
【請求項２】
該オリフィスに関して配置された分散面をさらに含んで成り、該偏向面上の任意の点に接する平面と、該分散面上の任意の点に接する平面が、該偏向面によって分散された粒子の少なくとも一部が該分散面に衝突し、該分散面によってさらに分散されることができるように、約３０度よりも大きく、約６０度よりも小さい夾角で交差する、請求項１に記載の装置。
【請求項３】
（ａ）オリフィスに関して配置され、偏向面が該オリフィスに関して固定され、それにより、粒子が該オリフィスから流れ、該偏向面に衝突し、該偏向面によって分散される、該偏向面を提供すること、並びに、
（ｂ）該オリフィスに粒子を供給すること、該オリフィスを通して粒子を運ぶこと、及び、該偏向面から粒子を分散させること、
を含んで成る、該オリフィスから流れる粒子を分散させるための方法。
【請求項４】
（ｃ）該オリフィスの近傍に配置され、該偏向面上の任意の点に接する平面と、分散面上の任意の点に接する平面が、約３０〜約６０度の夾角で交差する、該分散面を提供すること、及び、
（ｄ）該偏向面から分散された粒子の少なくとも一部を該分散面からさらに分散させること、をさらに含んで成る、請求項３に記載の方法。
【請求項５】
（ａ）粒子ホッパー貯蔵手段と、
（ｂ）第１端部及び第２端部を有する管路を含んで成り、該第１端部が該粒子ホッパー貯蔵手段と粒子の流れが通じ、且つ、該管路の一部が該第１端部と該第２端部の間に配置された複数のオリフィスを有する、少なくとも１つの回転式充填アームと、
（ｃ）各粒子分散アッセンブリがオリフィス近傍に配置され、各粒子分散アッセンブリが、該オリフィスから流れる粒子が偏向面に衝突し、該偏向面によって分散されることができるように、該オリフィスに関して固定される該偏向面を含んで成る、複数の粒子分散アッセンブリと、
（ｄ）該少なくとも１つの回転式充填アームを回転させるための駆動手段と、
を含んで成る、容器に粒子を充填するための装置。
【請求項６】
各粒子分散アッセンブリが、該オリフィスからの射出が該偏向面と交差しないような該オリフィスの近傍に配置される分散面をさらに含んで成り、該偏向面上の任意の点に接する平面と、該分散面上の任意の点に接する平面が、約３０〜約６０度の夾角で交差し、それにより、粒子が該偏向面によって偏向され、該分散面に衝突し、該分散面によってさらに分散されることのできる、請求項５に記載の装置。
【請求項７】
（ａ）粒子を含む粒子貯蔵ホッパーを提供すること、
（ｂ）第１端部及び第２端部を有する管路を含んで成り、該第１端部が該粒子貯蔵ホッパーと粒子の流れが通じ、且つ、該管路の一部が該第１端部と該第２端部の間に配置された複数のオリフィスを有する、少なくとも１つの回転式充填アームを提供すること、
（ｃ）各粒子分散アッセンブリがオリフィス近傍に配置され、各粒子分散アッセンブリが、
（１）該オリフィス近傍に配置され、それにより、該オリフィスから流れる粒子が      偏向面に衝突し、該偏向面によって偏向されることのできる該偏向面と、
（２）該オリフィス近傍に配置され、該偏向面上の任意の点に接する平面と、分散      面上の任意の点に接する平面が、約３０〜約６０度の夾角で交差する該分散面と、
を含んで成る、複数の粒子分散アッセンブリを提供すること、
（ｄ）該回転式充填アームを通して該オリフィスに粒子を流すこと、該オリフィスを通して粒子を流すこと、該オリフィスから垂直に粒子を流すこと、該偏向面に粒子の少なくとも一部を衝突させること、偏向面から粒子を分散させること、及び、該偏向面から分散された粒子の少なくとも一部を該分散面からさらに分散させること、並びに、
（ｅ）容器に粒子を分配して、その中に粒子床を形成するために、該少なくとも１つの回転式充填アームを回転させること、
を含んで成る、該容器に粒子を充填するための方法。
【請求項８】
（ａ）粒子ホッパー貯蔵手段と、
（ｂ）第１端部及び第２端部を有する第１配管部を含んで成り、該第１端部が該粒子ホッパー貯蔵手段と粒子の流れが通じ、且つ、該第１配管部が該第１端部と該第２端部の間に配置された複数のオリフィスを有する、少なくとも１つの回転式充填アームと、
（ｃ）該第１配管部の外径よりも大きい内径を有し、第２配管部が該第１配管部に関して同軸で且つ回転可能に配置され、複数のオリフィスを有し、
（１）第１同軸位置において、該第２配管部の該オリフィスが、粒子が該第１及び      該第２配管部の重なり合った対のオリフィスを通して流れることができるように、      該第１配管部の該オリフィスに関して配向され、且つ、
（２）第２同軸位置において、該第２配管部の該オリフィスが、粒子が該第１配管      部の該オリフィスを通して流れることができないよう、該第１配管部の該オリフィ      スが該第２配管部によって遮断されるように、該第１配管部の該オリフィスに関し      て配向される、
該第２配管部と、
（ｄ）各粒子分散アッセンブリがオリフィス近傍の該第２配管部に取り付けられた、複数の粒子分散アッセンブリと、
（ｅ）容器に粒子を分散させるために、該回転式充填アームを回転させる駆動手段と、
を含んで成る、該容器への粒子充填を調節するための装置。
【請求項９】
各粒子分散アッセンブリが、
（１）該オリフィスの近傍に配置され、偏向面が該オリフィスに関して固定され、それにより、該オリフィスから垂直に流れる粒子が該偏向面に衝突し、該偏向面によって分散されることができる該偏向面と、
（２）該オリフィスからの射出が該偏向面と交差しないようにオリフィスの近傍に配置され、該偏向面上の任意の点に接する平面と、分散面上の任意の点に接する平面が、約３０度よりも大きく、約６０度よりも小さい夾角で交差する該分散面と、
を含んで成り、それにより、粒子が該偏向面によって分散されることができ、該偏向面から分散した粒子の少なくとも一部が該分散面に衝突し、該分散面によって分散されることができる、請求項８に記載の装置。
【請求項１０】
（ａ）粒子貯蔵ホッパーを提供すること、
（ｂ）第１端部及び第２端部を有する第１配管部を含んで成り、該第１端部が該粒子貯蔵ホッパーと粒子の流れが通じ、且つ、該第１配管部が該第１端部と該第２端部の間に配置された複数のオリフィスを有する、少なくとも１つの回転式充填アームを提供すること、
（ｃ）該第１配管部の外径よりも大きい内径を有し、第２配管部が該第１配管部に関して同軸で且つ回転可能に配置され、複数のオリフィスを有し、
（１）第１同軸位置において、該第２配管部の該オリフィスが、粒子が該第１及び      該第２配管部の重なり合った対のオリフィスを通して流れることができるように、      該第１配管部の該オリフィス近傍に配向され、
（２）第２同軸位置において、該第２配管部の該オリフィスが、粒子が該第１配管      部の該オリフィスを通して流れることができないよう、該第１配管部の該オリフィ      スが該第２配管部によって遮断されるように、該第１配管部の該オリフィス近傍に      配向される、
該第２配管部を提供すること、
（ｄ）各粒子分散アッセンブリがオリフィス近傍の該第２配管部に取り付けられる、複数の粒子分散アッセンブリを提供すること、
（ｅ）該第１同軸位置に該第１及び第２配管部を配置し、それにより、該粒子貯蔵ホッパーから、該第１配管部を通り、該第１及び第２配管部の該オリフィスを通り、該粒子分散アッセンブリを通る粒子の流れを開始すること、且つ、該少なくとも１つの回転式充填アームを回転させ、それにより、容器に粒子を充填すること、並びに、
（ｆ）該第２同軸位置に該第１及び第２配管部を配置し、それにより、該容器への粒子の流れを終了させること、
を含んで成る、該容器への粒子充填を調節するための方法。
【請求項１１】
各粒子分散アッセンブリが、
（１）偏向面が該オリフィスに関して固定され、それにより、該オリフィスから垂直に流れる粒子が該偏向面に衝突し、該偏向面によって分散されることができる、該オリフィス近傍に配置された該偏向面と、
（２）該偏向面上の任意の点に接する平面と、分散面上の任意の点に接する平面が、約３０度よりも大きく、約６０度よりも小さい夾角で交差し、それにより、該偏向面によって分散される粒子の少なくとも一部が、該分散面に衝突し、該分散面によってさらに分散される、該オリフィスに関して配置された該分散面と、
を含んで成る、請求項１０に記載の方法。
【請求項１２】
容器に粒子を充填して異なる種類の粒子を含む少なくとも２つの環状床を形成する装置であって、
（ａ）第１種類の粒子を含む第１粒子ホッパー貯蔵手段と、
（ｂ）第２種類の粒子を含む第２粒子ホッパー貯蔵手段と、
（ｃ）以下、即ち、
（１）第１端部及び第２端部を有し、該第１端部が該第１粒子ホッパー貯蔵手段と      粒子の流れが通じ、該容器の軸近傍に配置され、第１管路部が該第１管路部の該第      ２端部と中間点の間に配置された複数のオリフィスを有し、且つ、該第１管路部の      中間点が該容器の軸から選択された半径方向の距離に位置する、該第１管路部と、
（２）各粒子分散アッセンブリが該第１管路部のオリフィス近傍に配置された、複      数の粒子分散アッセンブリと、
を含んで成る第１回転式充填アームと、
（ｄ）以下、即ち、
（１）第１端部及び第２端部を有し、該第１端部が該第２粒子ホッパー貯蔵手段と      粒子の流れが通じ、該容器の軸近傍に配置され、第２管路部が該第２管路部の該第      １端部と中間点の間に配置された複数のオリフィスを有し、且つ、該第２管路部の      中間点が該容器の軸から選択された半径方向の距離に位置する、該第２管路部と、
（２）各粒子分散アッセンブリが該第２管路のオリフィス近傍に配置された、複数      の粒子分散アッセンブリと、
を含んで成る第２回転式充填アームと、
（ｅ）該容器内に、該第１種類の粒子を含む第１環状床と、該第２種類の粒子を含む第２環状床を形成するために、粒子を分散させる該回転式充填アームを回転させるための駆動手段と、
を含んで成る装置。
【請求項１３】
各粒子分散アッセンブリが、
（１）粒子が該オリフィスから垂直に流れ、偏向面に衝突し、該偏向面によって分散されることができる、該オリフィス近傍に配置された該偏向面と、
（２）該偏向面上の任意の点に接する平面と、分散表面上の任意の点に接する平面が、約３０〜約６０度の夾角で交差し、それにより、該偏向面によって分散された粒子の少なくとも一部が該分散面に衝突し、該分散面によってさらに分散されることができる、該オリフィス近傍に配置された該分散面と、
を含んで成る、請求項１２に記載の装置。
【請求項１４】
該第１管路部の中間点近傍の、及び、該第１管路部の中間点と該容器軸の間の、該第１管路部に配置された付加的な粒子分散アッセンブリをさらに含んで成る、請求項１２に記載の装置。
【請求項１５】
該第２管路部の中間点近傍の、及び、該第２管路部の中間点と該容器内壁の間の、該第２管路部に配置された付加的な粒子分散アッセンブリをさらに含んで成る、請求項１２に記載の装置。
【請求項１６】
（ａ）第１端部と第２端部を有し、該第１端部が粒子の供給と粒子の流れが通じ、容器の軸近傍に配置され、該第２端部が該容器内壁近傍に配置され、管路が該第１端部と該第２端部の間に配置された複数のオリフィスを有する、該管路部と、
（ｂ）各粒子分散アッセンブリが該管路部のオリフィス近傍に配置され、各粒子分散アッセンブリが、粒子が該オリフィスから垂直に流れ、偏向面によって分散されることができるように、該オリフィスに関して配置された該偏向面を含んで成る、複数の粒子分散アッセンブリと、
を含んで成り、任意の粒子分散アッセンブリの該偏向面に接する平面が、隣接する粒子分散アッセンブリの該偏向面に接する平面と、約６０〜約９０度の夾角で交差する、該容器に粒子を充填するための回転式充填アーム。